(57)【要約】      （修正有）【課題】印刷装置への用紙の補給に関する案内画面を指定された装置に表示させるクライアント装置、携帯端末及びプログラムを提供する。【解決手段】クライアント装置は、特定の種別の用紙が選択されたならば、印刷装置への用紙の補給に関する案内画面を表す案内画面情報を指定された装置に供給し、印刷データを印刷装置に送信する。クライアント装置は、案内画面情報が供給される装置の候補を表示しＡ０５、案内画面情報が供給される印刷装置の選択を受け付けＡ０６、選択された印刷装置に案内画面情報を供給するＣ０１。【選択図】図６
2018049331.tif 000002
【特許請求の範囲】
【請求項１】
特定の種別の用紙が選択されたならば、印刷装置への当該用紙の補給に関する案内画面を表す案内画面情報を指定された装置に供給する供給手段と、
印刷データを前記印刷装置に送信する送信手段と
を備えるクライアント装置。
【請求項２】
前記案内画面情報が供給される装置の候補を表示し、前記案内画面情報が供給される装置の選択を受け付ける受付手段を備え、
前記供給手段が、前記受付手段により選択された装置に前記案内画面情報を供給する
請求項１に記載のクライアント装置。
【請求項３】
前記受付手段により自装置が選択された場合に、前記案内画面情報に基づく案内画面と、印刷の設定の変更を受け付ける印刷設定画面とを表示する表示手段と、
前記印刷設定画面で変更された設定に応じて、前記案内画面を更新する更新手段と
を備える請求項２に記載のクライアント装置。
【請求項４】
前記案内画面情報で表される案内画面が、タッチパネルを用いた操作を行うための画面である請求項１乃至３のいずれか１項に記載のクライアント装置。
【請求項５】
印刷装置への特定の種別の用紙の補給に関する案内画面を表す案内画面情報をクライアント装置から受信し、当該案内画面情報に基づく案内画面を表示する表示手段と、
印刷の設定の変更を受け付ける受付手段と、
変更された前記設定を表す印刷設定情報を前記クライアント装置又は前記印刷装置に送信する送信手段と、
変更された前記設定に応じて前記案内画面を更新する更新手段と
を備える携帯端末。
【請求項６】
コンピュータを、
特定の種別の用紙が選択されたならば、印刷装置への当該用紙の補給に関する案内画面を表す案内画面情報を指定された装置に供給する供給手段と、
印刷データを前記印刷装置に送信する送信手段
と記載機能させるためのプログラム。
【請求項７】
コンピュータを、
印刷装置への特定の種別の用紙の補給に関する案内画面を表す案内画面情報をクライアント装置から受信し、当該案内画面情報に基づく案内画面を表示する表示手段と、
印刷の設定の変更を受け付ける受付手段と、
変更された前記設定を表す印刷設定情報を前記クライアント装置又は前記印刷装置に送信する送信手段と、
変更された前記設定に応じて前記案内画面を更新する更新手段
として機能させるためのプログラム。
【発明の詳細な説明】
【技術分野】
【０００１】
本発明は、クライアント装置、携帯端末及びプログラムに関する。
【背景技術】
【０００２】
特許文献１に記載された情報処理装置は、例えばマウスでの操作に適したデスクトップＵＩ環境と、タッチパネルでの操作に適したタッチパネルＵＩ環境とを生成し、２つのＵＩ環境の画面のうち１つの画面を排他的に表示する。情報処理装置は、現在表示中のＵＩ環境を判断して、封筒印刷のためのガイドなどを示すメッセージ画面を現在表示中のＵＩ環境に表示する。印刷指示が入力された後にＵＩ環境が変更された場合であっても、現在表示されているＵＩ環境にメッセージ画面が表示される。また、情報処理装置は、ユーザが周辺装置へ処理要求を指示した際に利用したアプリの動作するＵＩ環境へ、封筒印刷のためのガイドなどを示すメッセージ画面を表示する。複数のＵＩ環境のそれぞれで複数の処理要求を指示した場合でも、処理要求を指示した際に利用したアプリとメッセージ画面とが同じＵＩ環境に表示される。また、情報処理装置は、どのＵＩ環境でメッセージ画面の表示が可能かを判断し、メッセージ画面の表示が可能なＵＩ環境でメッセージ画面を表示する。
【０００３】
特許文献２に記載された情報処理システムは、画像形成装置と携帯端末を有する。画像形成装置でファクシミリ送信操作、又はスキャン操作が行われたことを検出すると、画像形成装置は、主従設定処理及び宛先表示処理を行う。画像形成装置は、ファクシミリ送信操作、又はスキャン操作の検出後、画像形成装置の表示パネルが操作されたか否かを判断する。表示パネルが操作された場合には、画像形成装置を主の装置に設定し、携帯端末を従の装置に設定する。これに対し、表示パネルが操作されなかった場合には、携帯端末を主の装置に設定し、画像形成装置を従の装置に設定する。例えば、画像形成装置においてメール送信機能を実行するとき、携帯端末に記憶されている電子メールアドレス情報を用いて、送信先を決定する。また、画像形成装置においてファクシミリ送信機能を実行するときには、画像形成装置の表示パネルを用いて、携帯端末の表示パネルを補助的に用いながら、操作等を行う。従の装置から選択された送信先情報のみを主の装置に転送することで、すべての情報を送信し主の装置で保持させる場合と比較して、ネットワークの負荷や主の装置での記憶領域の使用量が少なくなる。
【先行技術文献】
【特許文献】
【０００４】
【特許文献１】特開２０１４−１８６４８６号公報
【特許文献２】特開２０１４−４５４１８号公報
【発明の概要】
【発明が解決しようとする課題】
【０００５】
封筒、はがき、ラベル、厚紙などの特殊用紙を印刷装置に補給する手順は、普通紙と異なる場合が多い。しかし、特殊用紙の補給手順を憶えることや、特殊用紙を使用するたびに取扱説明書で補給手順を調べることは、ユーザにとって負担となる。この負担を軽減する手段として、特殊用紙の補給手順を示す案内画面を表示する技術が知られている。例えば、印刷データの送信元であるクライアント装置の表示部に案内画面を表示させる技術が知られている。しかし、一般に、印刷装置はクライアント装置から離れた場所に設置されるから、案内画面を見ながら補給作業を行うことができず、補給作業中に案内画面を見る必要が生じた場合には、クライアント装置の場所まで戻らなければならない。そこで、印刷装置の表示部に案内画面を表示させることが考えられるが、一般に、印刷装置の表示部はクライアント装置の表示部よりも表示面のサイズが小さいため、クライアント装置に表示させる場合と比べて、案内画面が見にくい、表示される情報量が少ないなどの問題がある。
そこで、本発明は、印刷装置への用紙の補給に関する案内画面を指定された装置に表示させることを目的とする。
【課題を解決するための手段】
【０００６】
請求項１に係る発明は、特定の種別の用紙が選択されたならば、印刷装置への当該用紙の補給に関する案内画面を表す案内画面情報を指定された装置に供給する供給手段と、印刷データを前記印刷装置に送信する送信手段とを備えるクライアント装置を提供する。
請求項２に係る発明は、請求項１に記載のクライアント装置において、前記案内画面情報が供給される装置の候補を表示し、前記案内画面情報が供給される装置の選択を受け付ける受付手段を備え、前記供給手段が、前記受付手段により選択された装置に前記案内画面情報を供給する。
請求項３に係る発明は、請求項２に記載のクライアント装置において、前記受付手段により自装置が選択された場合に、前記案内画面情報に基づく案内画面と、印刷の設定の変更を受け付ける印刷設定画面とを表示する表示手段と、前記印刷設定画面で変更された設定に応じて、前記案内画面を更新する更新手段とを備える。
請求項４に係る発明は、請求項１乃至３のいずれか１項に記載のクライアント装置において、前記案内画面情報で表される案内画面が、タッチパネルを用いた操作を行うための画面である。
請求項５に係る発明は、印刷装置への特定の種別の用紙の補給に関する案内画面を表す案内画面情報をクライアント装置から受信し、当該案内画面情報に基づく案内画面を表示する表示手段と、印刷の設定の変更を受け付ける受付手段と、変更された前記設定を表す印刷設定情報を前記クライアント装置又は前記印刷装置に送信する送信手段と、変更された前記設定に応じて前記案内画面を更新する更新手段とを備える携帯端末を提供する。
請求項６に係る発明は、コンピュータを、特定の種別の用紙が選択されたならば、印刷装置への当該用紙の補給に関する案内画面を表す案内画面情報を指定された装置に供給する供給手段と、印刷データを前記印刷装置に送信する送信手段と記載機能させるためのプログラムを提供する。
請求項７に係る発明は、コンピュータを、印刷装置への特定の種別の用紙の補給に関する案内画面を表す案内画面情報をクライアント装置から受信し、当該案内画面情報に基づく案内画面を表示する表示手段と、印刷の設定の変更を受け付ける受付手段と、変更された前記設定を表す印刷設定情報を前記クライアント装置又は前記印刷装置に送信する送信手段と、変更された前記設定に応じて前記案内画面を更新する更新手段として機能させるためのプログラムを提供する。
【発明の効果】
【０００７】
請求項１、６に係る発明によれば、印刷装置への用紙の補給に関する案内画面を指定された装置に表示させることができる。
請求項２に係る発明によれば、案内画面を表示させる装置を選択することができる。
請求項３、５、７に係る発明によれば、印刷の設定を変更した場合にその設定に応じた案内画面を表示させることができる。
請求項４に係る発明によれば、タッチパネルを備えた装置に案内画面を表示させることができる。
【図面の簡単な説明】
【０００８】
【図１】実施形態の構成の全体を示す図。
【図２】クライアント装置１のハードウェア構成を示す図。
【図３】携帯端末２のハードウェア構成を示す図。
【図４】印刷装置３のハードウェア構成を示す図。
【図５】案内画面表示処理に係る機能構成を示すブロック図。
【図６】案内画面表示処理の手順を示す流れ図。
【図７】第１案内画面を示す図。
【図８】装置選択画面を示す図。
【図９】ステップＥ０１の第１実施例のシーケンス図。
【図１０】ステップＥ０１の第２実施例のシーケンス図。
【図１１】ステップＤ０１の第１実施例のシーケンス図。
【図１２】ステップＤ０１の第２実施例のシーケンス図。
【図１３】ステップＤ０１の第３実施例のシーケンス図。
【図１４】ステップＣ０１の第１実施例のシーケンス図。
【図１５】ステップＣ０１の第２実施例のシーケンス図。
【図１６】ステップＣ０１の第３実施例のシーケンス図。
【図１７】ステップＢ０１の実施例のシーケンス図。
【発明を実施するための形態】
【０００９】
本発明を実施するための形態の一例について説明する。
図１は、実施形態の構成の全体を示す図である。クライアント装置１と印刷装置３は、ＬＡＮ（Local Area Network）に接続されている。ＬＡＮには、無線ＬＡＮのアクセスポイントが設けられており、携帯端末２は、無線ＬＡＮ経由でクライアント装置１及び印刷装置３と通信する。クライアント装置１は、例えばデスクトップ型やノートブック型などのパーソナルコンピュータ（以下、ＰＣという）である。携帯端末２は、例えばタブレット型のＰＣやスマートフォンなどである。
【００１０】
図２は、クライアント装置１のハードウェア構成を示す図である。制御部１１は、ＣＰＵ（Central Processing Unit）などの演算装置と、ＲＯＭ（Read Only Memory）やＲＡＭ（Random Access Memory）などの記憶装置とを備える。ＲＯＭには、ハードウェアやＯＳ（Operating System）の起動の手順を記述したファームウェアが記憶される。ＲＡＭには、ＣＰＵが演算を実行する際のデータが記憶される。記憶部１２は、ハードディスク記憶装置や半導体メモリなどを備え、ＯＳやアプリケーションプログラムなどが記憶される。通信部１３は、クライアント装置１をＬＡＮに接続するための通信Ｉ／Ｆ（Interface）である。
【００１１】
外部Ｉ／Ｆ部１６には、表示装置１４、受付装置１５が接続される。表示装置１４は、例えば液晶表示装置であり、操作者がクライアント装置１を操作するためのＧＵＩ（Graphical User Interface）の画面などを表示する。受付装置１５は、例えばキーボードやポインティングデバイスなどであり、操作者が行った操作を受け付けて、その操作に応じた信号を制御部１１に出力する。なお、表示装置１４、受付装置１５のうちの１つ以上がクライアント装置１と一体化されていてもよい。
【００１２】
クライアント装置１は、タブレット型のＰＣの機能を兼ね備える。具体的には、クライアント装置１は、ポインティングデバイスとして、マウスと、表示装置１４の表示面を覆うように設けられたタッチパネルを備える。タッチパネルは、タップ、フリック、ドラッグなどの操作を受け付け、その操作に応じた信号を制御部１１に出力する。クライアント装置１は、デスクトップモードとタブレットモードとのいずれかで動作する。デスクトップモードは、マウスとキーボードを用いた操作を行うための画面を表示するモードである。タブレットモードは、タッチパネルを用いた操作を行うための画面を表示するモードである。表示装置１４に備えられた無線通信部１４１は、表示装置１４を無線ＬＡＮに接続するための通信Ｉ／Ｆである。
【００１３】
クライアント装置１がノートブック型の場合、表示装置１４がクライアント装置１の本体に着脱されるように構成されている。表示装置１４がクライアント装置１の本体から取り外された場合、表示装置１４とクライアント装置１との通信は無線ＬＡＮ経由で行われる。クライアント装置１がデスクトップ型の場合、表示装置１４とクライアント装置１の本体とは通信ケーブルで接続されるが、通信ケーブルが取り外された場合、表示装置１４とクライアント装置１との通信は無線ＬＡＮ経由で行われる。つまり、クライアント装置１をタブレットモードに切り替え、表示装置１４をクライアント装置１の本体から分離することにより、表示装置１４がタブレット型のＰＣとして機能する。なお、ノートブック型の場合、そのサイズや重量によっては表示装置が本体から分離されなくてもタブレット型のＰＣと同等の携帯性を有する場合があり、その場合も、表示装置１４がタブレット型のＰＣとして機能する。
【００１４】
図３は、携帯端末２のハードウェア構成を示す図である。制御部２１は、ＣＰＵなどの演算装置と、ＲＯＭやＲＡＭなどの記憶装置とを備える。ＲＯＭには、ハードウェアやＯＳの起動の手順を記述したファームウェアが記憶される。ＲＡＭには、ＣＰＵが演算を実行する際のデータが記憶される。記憶部２２は、例えば半導体メモリを備え、ＯＳやアプリケーションプログラムなどが記憶される。通信部２３は、携帯端末２を無線ＬＡＮのアクセスポイントに接続するための通信Ｉ／Ｆである。なお、携帯端末２を携帯電話の通信網に接続するための通信Ｉ／Ｆや、通話のためのスピーカ、マイクロホン、音声処理回路などが携帯端末２に備えられていてもよい。
【００１５】
表示部２４、例えば液晶表示装置であり、ユーザが携帯端末２を操作するためのＧＵＩの画面を表示する。受付部２５は、例えば表示部２４の表示面を覆うように設けられたタッチパネルであり、タップ、フリック、ドラッグなどの操作を受け付け、その操作に応じた信号を制御部２１に出力する。
【００１６】
図４は、印刷装置３のハードウェア構成を示す図である。制御部３１は、ＣＰＵなどの演算装置と、ＲＯＭやＲＡＭなどの記憶装置とを備える。ＲＯＭには、ハードウェアやＯＳの起動の手順を記述したファームウェアが記憶される。ＲＡＭには、ＣＰＵが演算を実行する際のデータが記憶される。記憶部３２は、例えばハードディスク記憶装置や半導体メモリなどを備え、ＯＳやアプリケーションプログラムなどが記憶される。通信部３３は、印刷装置３をＬＡＮに接続するための通信Ｉ／Ｆである。
【００１７】
表示部３４は、例えば液晶表示装置であり、ユーザが印刷装置３を操作するためのＧＵＩの画面を表示する。受付部３５は、例えば表示部３４の表示面を覆うように設けられたタッチパネルであり、タップ、フリック、ドラッグなどの操作を受け付け、その操作に応じた信号を制御部３１に出力する。画像形成部３６は、ラスタデータに基づいて媒体に画像を形成する。画像形成部３６は、電子写真方式、インクジェット方式など、いかなる方式でもよい。
【００１８】
印刷の媒体は、普通紙と特殊用紙に大別される。普通紙は、例えばＪＩＳ（日本工業規格）などの規格に準拠した印刷用紙である。特殊用紙は、封筒、はがき、ラベル、厚紙などである。収容部３７は、例えば引き出し式の箱であり、普通紙が重ねて収容される。手差し部３８は、例えば印刷装置の側面に設けられた開口部から突き出た板状の部材を有し、この部材の上面に特殊用紙又は普通紙が手作業により重ねて配置される。搬送部３９は、収容部３７及び手差し部３８から画像形成部３６を経由して排出部４０に達する搬送路を備え、収容部３７又は手差し部３８から媒体を１枚ずつ取り出して画像形成部３６に搬送し、画像形成部３６によって画像が形成された媒体を排出部４０に搬送する。
【００１９】
クライアント装置１には、後述する案内画面の表示に関する処理（以下、案内画面表示処理という。）の手順を記述したプログラムがインストールされている。
図５は、案内画面表示処理に係る機能構成を示すブロック図である。供給手段１０１は、特定の種別の用紙が選択されたならば、印刷装置への当該用紙の補給に関する案内画面を表す案内画面情報を指定された装置に供給する。送信手段１０２は、印刷データを前記印刷装置に送信する。受付手段１０３は、前記案内画面情報が供給される装置の候補を表示し、前記案内画面情報が供給される装置の選択を受け付ける。供給手段１０１は、前記受付手段１０３により選択された装置に前記案内画面情報を供給する。表示手段１０４は、前記受付手段１０３により自装置が選択された場合に、前記案内画面情報に基づく案内画面と、印刷の設定の変更を受け付ける印刷設定画面とを表示する。更新手段１０５は、前記印刷設定画面で変更された設定に応じて、前記案内画面を更新する。前記案内画面情報で表される案内画面は、タッチパネルを用いた操作を行うための画面である。
【００２０】
表示手段２０１は、印刷装置への特定の種別の用紙の補給に関する案内画面を表す案内画面情報をクライアント装置から受信し、当該案内画面情報に基づく案内画面を表示する。受付手段２０２は、印刷の設定の変更を受け付ける。送信手段２０３は、変更された前記設定を表す印刷設定情報を前記クライアント装置又は前記印刷装置に送信する。更新手段２０４は、変更された前記設定に応じて前記案内画面を更新する。具体的には、以下のとおりである。
【００２１】
ここで、案内画面表示処理のトリガとなる事象について説明する。例えばクライアント装置１の制御部１１がアプリケーションを実行し、アプリケーションを操作するための画面が表示装置１４に表示される。アプリケーションは、文書編集、描画、ウェブブラウザなど、いかなるアプリケーションでもよい。ユーザがアプリケーションの画面上のメニューで印刷を選択すると、クライアント装置１にインストールされているプリンタドライバの設定画面が表示される。この設定画面には、印刷装置の選択、部数、拡大／縮小の倍率、両面印刷／片面印刷、複数ページを縮小して１ページにまとめる印刷、白黒印刷／カラー印刷、用紙トレイの選択などの項目毎のウィジェットが表示され、ユーザはこの画面上で所望の設定を行う。
【００２２】
プリンタドライバの設定画面における用紙トレイとは、用紙の供給元を表し、収容部３７と手差し部３８のいずれかが選択される。複数の収容部３７や複数の手差し部３８が設けられている場合には、複数の収容部３７のいずれか又は複数の手差し部３８のいずれかが選択される。収容部３７には、用紙タイプ、用紙サイズ、用紙種類などが予め設定され、用紙トレイとして収容部３７が選択されると、選択された収容部３７の設定値が適用される。用紙トレイとして手差し部３８が選択されると、用紙タイプ、用紙サイズ、用紙種類などを設定するためのウィジェットが有効となる。
【００２３】
用紙タイプとは、例えば、普通紙、封筒、はがき、ラベル、厚紙などである。用紙タイプとして普通紙が選択されると、例えば、用紙サイズ（例えば、ＪＩＳのＡ３、Ａ４、Ｂ４、Ｂ５など）を選択するためのウィジェットや、用紙種類（例えば、坪量、紙厚、紙色など）を選択するためのウィジェットが表示される。用紙タイプとして封筒が選択されると、例えば、用紙サイズ（例えば、長形３号、角型３号など）を選択するためのウィジェットや、用紙種類（例えば、封用の重量、紙色など）を選択するためのウィジェットが表示される。以下、設定された用紙タイプ、用紙サイズ、用紙種類などを示す情報を、印刷設定情報という。印刷設定情報に含まれる用紙タイプが特殊用紙（封筒、はがき、ラベル、厚紙など）のいずれかである場合に、制御部１１が案内画面表示処理を実行する。
【００２４】
案内画面は、特殊用紙の補給に関する情報を示す画面である。案内画面は、第１案内画面と第２案内画面との２種類がある。第１案内画面は、デスクトップモード（マウスとキーボードを用いた操作が行われるモード）で動作中のクライアント装置１の表示装置１４に表示される案内画面である。これに対して、第２案内画面は、携帯端末２の表示部２４、印刷装置３の表示部３４、タブレットモードで動作中のクライアント装置１の表示装置１４に表示される案内画面である。つまり、第２案内画面は、タッチパネルを用いた操作が行われる装置に表示される案内画面である。記憶部１２には、これらの案内画面を表す案内画面情報が記憶されている。供給手段１０１（図５参照）によって供給される案内画面情報は、第２案内画面を表す案内画面情報である。
【００２５】
図６は、案内画面表示処理の手順を示す流れ図である。
＜ステップＡ０１＞
制御部１１が、第１案内画面を表示装置１４に表示させる。
図７は、第１案内画面を示す図である。図示した例は、用紙タイプとして封筒が選択された場合に表示される画面であり、封筒を配置する場所である手差し部３８が図示され、封筒を配置するときの向き（縦横、表裏）が文章と図で示されている。
【００２６】
＜ステップＡ０２＞
制御部１１が、第２案内画面を表示させる指示を受け付けたか否かを判定する。具体的には、以下のとおりである。第１案内画面（図７参照）に「ナビの続き」なるボタンと「確定」なるボタンが設けられている。「ナビの続き」ボタンは、第２案内画面を表示させるためのボタンである。ユーザがこのボタンを操作すると、制御部１１は、第２案内画面を表示させる指示を受け付けたと判定し（ステップＡ０２：ＹＥＳ）、制御部１１の処理はステップＡ０４に進む。一方、「確定」ボタンは、第２案内画面を表示させずに印刷を実行するためのボタンである。ユーザがこのボタンを操作すると、制御部１１は、第２案内画面を表示させる指示を受け付けなかったと判定し（ステップＡ０２：ＮＯ）、制御部１１の処理はステップＡ０３に進む。
【００２７】
＜ステップＡ０３＞
制御部１１が、印刷装置３に印刷データを送信する。具体的には、制御部１１は、アプリケーション（文書編集、描画、ウェブブラウザなどのアプリケーション）で作成されたデータを印刷設定情報に応じてＰＤＬ（ページ記述言語）で記述した印刷データに変換し、この印刷データを印刷装置３に送信する。印刷装置３は、受信した印刷データをラスタデータに変換し、このラスタデータで表される画像を媒体に印刷する。
【００２８】
＜ステップＡ０４＞
制御部１１が、第２案内画面の表示が可能な装置を検索する。具体的には、制御部１１は、自装置（クライアント装置１）、印刷装置３及び携帯端末２の機能情報を取得する。機能情報は、例えば表示面のサイズ、印刷設定用アプリケーションの有無（携帯端末２の場合）、タブレットモードの有無（クライアント装置１の場合）、携帯の可否（クライアント装置１の場合）などを示す情報である。印刷設定用アプリケーションとは、プリンタドライバの設定画面の機能の一部を有する簡易設定画面を携帯端末に表示させるアプリケーションである。携帯の可否とは、クライアント装置１をタブレットモードに切り替え、表示装置１４をクライアント装置１の本体から分離することにより、表示装置１４をタブレット型のＰＣとして機能させることの可否である。なお、ノートブック型の場合、そのサイズや重量によっては表示装置１４が本体から分離されなくてもタブレット型のＰＣと同等の携帯性を有する場合があり、その場合も、表示装置１４がタブレット型のＰＣとして機能するものに分類される。
【００２９】
クライアント装置１の機能情報は、クライアント装置１の記憶部１２から取得される。印刷装置３及び携帯端末２の機能情報は、その都度、印刷装置３及び携帯端末２との通信によって取得してもよく、予めクライアント装置１に記憶させておいてもよい。なお、機能情報を取得する対象となる印刷装置は、プリンタドライバの設定画面で選択された印刷装置であり、例えば、通常使用する印刷装置として設定されている印刷装置でもよく、ユーザが選択した印刷装置でもよい。機能情報を取得する対象となる携帯端末は、無線ＬＡＮに接続されている携帯端末である。
【００３０】
制御部１１は、機能情報が取得された装置の各々について、第２案内画面の表示の可否を機能情報に基づいて判定する。表示面のサイズについては、案内画面の表示に必要な閾値が定められており、表示面のサイズがこの閾値以上である装置が、第２案内画面の表示が可能な装置であると判定される。クライアント装置１については、タブレットモードを有し、且つ、携帯が可能な装置が第２案内画面の表示が可能な装置であると判定される。
【００３１】
＜ステップＡ０５＞
制御部１１が、装置選択画面を表示装置１４に表示させる。装置選択画面は、第２案内画面の表示が可能な装置のリストを示す画面である。
図８は、装置選択画面を示す図である。同図において、「クライアント」は、自装置（クライアント装置１）である。「プリンタ」は、印刷装置３である。タブレット（１）、タブレット（２）、スマートフォンは、携帯端末２である。「可能操作」の欄の「一から設定可」とは、第２案内画面に加えて、プリンタドライバの設定画面と同等の機能を有する設定画面が表示されることを意味する。「ナビ表示」とは、第２案内画面のみが表示されることを意味する。「簡易設定変更」とは、第２案内画面に加えて、プリンタドライバの設定画面の機能の一部を有する簡易設定画面を表示させる印刷設定用アプリケーションがインストールされていることを意味する。ユーザは装置選択画面で所望の装置を選択し、「次へ」ボタンを操作する。「次へ」ボタンが操作されると、制御部１１の処理はステップＡ０６に進む。
【００３２】
＜ステップＡ０６＞
制御部１１が、クライアント装置１（図８における「クライアント」）が選択されたか否かを判定する。クライアント装置１が選択されたならば（ステップＡ０６：ＹＥＳ）、制御部１１の処理はステップＢ０１に進む。クライアント装置１が選択されなかったならば（ステップＡ０６：ＮＯ）、制御部１１の処理はステップＡ０７に進む。
【００３３】
＜ステップＢ０１＞
制御部１１が、タブレットモードのクライアント装置１に第２案内画面を表示させる。処理の詳細は後述する。
【００３４】
＜ステップＡ０７＞
制御部１１が、印刷装置３（図８における「プリンタ」）が選択されたか否かを判定する。印刷装置３が選択されたならば（ステップＡ０７：ＹＥＳ）、制御部１１の処理はステップＣ０１に進む。印刷装置３が選択されなかったならば（ステップＡ０７：ＮＯ）、制御部１１の処理はステップＡ０８に進む。
【００３５】
＜ステップＣ０１＞
制御部１１が、印刷装置３に第２案内画面を表示させる。処理の詳細は後述する。
【００３６】
＜ステップＡ０８＞
制御部１１が、携帯端末２（印刷設定用アプリ有）（図８における「タブレット（１）」又は「スマートフォン」）が選択されたか否かを判定する。携帯端末２（印刷設定用アプリ有）が選択されたならば（ステップＡ０８：ＹＥＳ）には、制御部１１の処理はステップＤ０１に進む。携帯端末２（印刷設定用アプリ有）が選択されなかったならば（ステップＡ０８：ＮＯ）には、制御部１１の処理はステップＥ０１に進む。
【００３７】
＜ステップＤ０１＞
制御部１１が、携帯端末２（印刷設定用アプリ有）に第２案内画面を表示させる。処理の詳細は後述する。
【００３８】
＜ステップＥ０１＞
制御部１１が、携帯端末２（印刷設定用アプリ無）（図８における「タブレット（２）」）に第２案内画面を表示させる。処理の詳細は後述する。
【００３９】
次に、前述のステップＢ０１、Ｃ０１、Ｄ０１、Ｅ０１の詳細について、クライアント装置と連携する装置による処理も含めたシーケンス図を用いて説明する。以下では、理解の容易さを考慮して、最初にステップＥ０１について説明する。
【００４０】
図９は、ステップＥ０１の第１実施例のシーケンス図である。
＜ステップＥ１１＞
クライアント装置１の制御部１１が、プリンタドライバの設定画面により印刷設定を受け付け、印刷設定の内容を表す印刷設定情報（１）を生成する。また、制御部１１は、設定された用紙タイプに応じた第２案内画面を表す案内画面情報（１）を記憶部１２から読み出す。
【００４１】
＜ステップＥ１２＞
クライアント装置１の制御部１１が、アプリケーションで作成されたデータと印刷設定情報（１）とに基づいてＰＤＬの印刷データ（１）を生成し、印刷データ（１）をスプールする。また、制御部１１は、識別情報を生成する。識別情報は、例えば、印刷データ毎の固有の識別子、ユーザ識別子、印刷データのファイル名などの１つ以上を含む。印刷データ毎の固有の識別子は、印刷データが生成された時刻、規則的又はランダムに生成された文字や数字の列などでもよい。
【００４２】
＜ステップＥ１３＞
クライアント装置１の制御部１１が、携帯端末２に案内画面情報（１）と識別情報を送信する。
【００４３】
＜ステップＥ２１＞
携帯端末２の制御部２１が、案内画面情報（１）と識別情報を受信する。
【００４４】
＜ステップＥ１４＞
クライアント装置１の制御部１１が、印刷装置３での作業（用紙の配置）を促すメッセージを表示装置１４に表示させる。このメッセージを見たユーザは、携帯端末２を携帯して印刷装置３の場所に移動する。
【００４５】
＜ステップＥ２２＞
携帯端末２の制御部２１が、第２案内画面を表示させる操作を受け付ける。例えば、制御部２１は、未処理の案内画面情報（１）に対応する識別情報のリストを表示部２４に表示させ、ユーザがいずれかの識別情報を選択すると、「用紙ナビを表示しますか？」というメッセージ、「はい」ボタン、「いいえ」ボタンを表示部２４に表示させ、「はい」ボタンが操作されたならば、制御部２１の処理はステップＥ２３に進む。
【００４６】
＜ステップＥ２３＞
携帯端末２の制御部２１が、案内画面情報（１）に基づく第２案内画面を表示部２４に表示させる。表示される第２案内画面は、第１案内画面（図７参照）から「ナビの続き」ボタンを削除した画面である。ユーザは、第２案内画面の内容に従って用紙を配置する。
【００４７】
＜ステップＥ２４＞
携帯端末２の制御部２１が、印刷実行の操作を受け付ける。例えば、第２案内画面の「確定」ボタンが操作されたならば、制御部２１の処理はステップＥ２５に進む。
【００４８】
＜ステップＥ２５＞
携帯端末２の制御部２１が、印刷装置３への印刷データ（１）の送信をクライアント装置１に要求する。
【００４９】
＜ステップＥ１５＞
クライアント装置１の制御部１１が、スプールしている印刷データ（１）を印刷装置３に送信する。
【００５０】
＜ステップＥ３１＞
印刷装置３の制御部３１が、印刷データ（１）を受信し、印刷を実行する。
以上が、ステップＥ０１の第１実施例である。
【００５１】
図１０は、ステップＥ０１の第２実施例のシーケンス図である。第１実施例では印刷データがクライアント装置１でスプールされるのに対して、第２実施例では印刷データが印刷装置３でスプールされる。第１実施例と同じステップ番号のステップは、第１実施例と同じ内容であるから、そのステップの説明は省略する。
【００５２】
＜ステップＥ１２ａ＞
クライアント装置１の制御部１１が、アプリケーションで作成されたデータと印刷設定情報（１）とに基づいてＰＤＬの印刷データ（１）を生成する。制御部１１は、この印刷データ（１）にスプールフラグを付加する。スプールフラグは、この印刷データ（１）を印刷装置３でスプールすることを示すフラグである。また、制御部１１は、識別情報を生成する。
【００５３】
＜ステップＥ１５ａ＞
クライアント装置１の制御部１１が、印刷装置３に印刷データ（１）と識別情報を送信する。
【００５４】
＜ステップＥ３１ａ＞
印刷装置３の制御部３１が、印刷データ（１）と識別情報を受信する。
【００５５】
＜ステップＥ３１ｂ＞
印刷装置３の制御部３１が、スプールフラグを認識し、印刷データ（１）をスプールする。制御部３１は、印刷実行の操作を受け付けるまで待機する。
【００５６】
＜ステップＥ２４ａ＞
携帯端末２の制御部２１が、印刷装置３での印刷実行の操作を促すメッセージを表示部２４に表示させる。このメッセージを見たユーザは、印刷装置３に対して印刷実行の操作を行う。
【００５７】
＜ステップＥ３１ｃ＞
印刷装置３の制御部３１が、印刷実行の操作を受け付ける。
【００５８】
＜ステップＥ３１ｄ＞
印刷装置３の制御部３１が、スプールしている印刷データ（１）に基づく印刷を実行する。
以上が、ステップＥ０１の第２実施例である。
【００５９】
図１１は、ステップＤ０１の第１実施例のシーケンス図である。
＜ステップＤ１１＞
クライアント装置１の制御部１１が、プリンタドライバの設定画面により印刷設定を受け付け、印刷設定の内容を表す印刷設定情報（１）を生成する。また、制御部１１は、設定された用紙タイプに応じた第２案内画面を表す案内画面情報（１）を記憶部１２から読み出す。
【００６０】
＜ステップＤ１２＞
クライアント装置１の制御部１１が、携帯端末２での印刷設定用アプリケーションの起動を促すメッセージを表示装置１４に表示させる。このメッセージを見たユーザは、携帯端末２の印刷設定用アプリケーションを起動する操作を行う。
【００６１】
＜ステップＤ２１＞
携帯端末２の制御部２１が、印刷設定用アプリケーションを起動する操作を受け付ける。
【００６２】
＜ステップＤ２２＞
携帯端末２の制御部２１が、印刷設定用アプリケーションを起動する。また、制御部２１は、クライアント装置１との無線通信のリンクを確立する。
【００６３】
＜ステップＤ２３＞
携帯端末２の制御部２１が、クライアント装置１に印刷設定情報（１）と案内画面情報（１）を要求する。
【００６４】
＜ステップＤ１３＞
クライアント装置１の制御部１１が、識別情報を生成し、印刷設定情報（１）と案内画面情報（１）と識別情報を携帯端末２に送信する。
【００６５】
＜ステップＤ２４＞
携帯端末２の制御部２１が、印刷設定情報（１）と案内画面情報（１）と識別情報を受信し、未処理の案内画面情報（１）に対応する識別情報のリストを表示部２４に表示させ、ユーザがいずれかの識別情報を選択すると、「用紙ナビを表示しますか？」というメッセージ、「はい」ボタン、「いいえ」ボタンを表示部２４に表示させ、「はい」ボタンが操作されたならば、案内画面情報（１）に基づく第２案内画面を表示部２４に表示させる。ユーザは、携帯端末２を携帯して印刷装置３の場所に移動し、第２案内画面の内容に従って用紙を配置する。
【００６６】
＜ステップＤ２５＞
携帯端末２の制御部２１が、印刷設定用アプリケーションの簡易設定画面で印刷設定の変更を受け付ける。
【００６７】
＜ステップＤ２６＞
携帯端末２の制御部２１が、簡易設定画面での印刷設定の変更に応じて印刷設定と第２案内画面を更新する。制御部２１は、印刷設定情報（１）を印刷設定情報（２）に更新し、案内画面情報（１）を案内画面情報（２）に更新する。例えば、用紙タイプや用紙サイズが変更された場合には、変更後の用紙タイプや用紙サイズに応じた第２案内画面が表示される。
【００６８】
＜ステップＤ２７＞
携帯端末２の制御部２１が、印刷実行の操作を受け付ける。
【００６９】
＜ステップＤ２８＞
携帯端末２の制御部２１が、印刷設定情報（２）をクライアント装置１に送信し、クライアント装置１に印刷実行を指示する。
【００７０】
＜ステップＤ１４＞
クライアント装置１の制御部１１が、アプリケーションで作成されたデータと印刷設定情報（２）とに基づいてＰＤＬの印刷データ（１）を生成し、印刷データ（１）を印刷装置３に送信する。
【００７１】
＜ステップＤ３１＞
印刷装置３の制御部３１が、印刷データ（１）を受信し、印刷を実行する。
以上が、ステップＤ０１の第１実施例である。
【００７２】
図１２は、ステップＤ０１の第２実施例のシーケンス図である。第１実施例では携帯端末２での印刷実行の操作後に印刷データが生成されるのに対して、第２実施例ではクライアント装置１での印刷設定後に印刷データが生成され、この印刷データが印刷装置３でスプールされる。第１実施例と同じステップ番号のステップは、第１実施例と同じ内容であるから、そのステップの説明は省略する。
【００７３】
＜ステップＤ１４ａ＞
クライアント装置１の制御部１１が、アプリケーションで作成されたデータと印刷設定情報（１）とに基づいてＰＤＬの印刷データ（１）を生成する。制御部１１は、この印刷データ（１）に特殊用紙フラグを付加する。特殊用紙フラグは、用紙タイプとして特殊用紙のいずれかが選択されたことを示すフラグである。また、制御部１１は、識別情報を生成する。制御部１１は、印刷データ（１）と識別情報を印刷装置３に送信する。
【００７４】
＜ステップＤ３１ａ＞
印刷装置３の制御部３１が、印刷データ（１）と識別情報を受信する。
【００７５】
＜ステップＤ３１ｂ＞
印刷装置３の制御部３１が、特殊用紙フラグを認識し、印刷データ（１）をスプールする。制御部３１は、印刷実行の操作を受け付けるまで待機する。
【００７６】
＜ステップＤ２８ａ＞
携帯端末２の制御部２１が、印刷設定情報（２）を印刷装置３に送信し、印刷装置３に印刷実行を指示する。
【００７７】
＜ステップＤ３１ｃ＞
印刷装置３の制御部３１が、印刷設定情報（２）を受信し、印刷設定情報（２）に基づいて、スプールしている印刷データ（１）を印刷データ（２）に更新する。
【００７８】
＜ステップＤ３１ｄ＞
印刷装置３の制御部３１が、印刷データ（２）に基づく印刷を実行する。
以上が、ステップＤ０１の第２実施例である。
【００７９】
図１３は、ステップＤ０１の第３実施例のシーケンス図である。第２実施例では携帯端末２での印刷設定の変更に応じて印刷データが印刷装置３によって更新されるのに対して、第３実施例では印刷データがクライアント装置１によって更新される。第２実施例と同じステップ番号のステップは、第２実施例と同じ内容であるから、そのステップの説明は省略する。
【００８０】
＜ステップＤ２８ｂ＞
携帯端末２の制御部２１が、印刷設定情報（２）をクライアント装置１に送信し、印刷装置３に印刷実行を指示する。
【００８１】
＜ステップＤ１４ｂ＞
印刷装置３の制御部３１が、印刷設定情報（２）を受信し、印刷設定情報（２）に基づいて印刷データ（１）を印刷データ（２）に更新し、印刷データ（２）を印刷装置３に送信する。
【００８２】
＜ステップＤ３１ｅ＞
印刷装置３の制御部３１が、印刷データ（２）を受信し、印刷を実行する。制御部３１は、スプールしていた印刷データ（１）を破棄する。
以上が、ステップＤ０１の第３実施例である。
【００８３】
図１４は、ステップＣ０１の第１実施例のシーケンス図である。
＜ステップＣ１１＞
クライアント装置１の制御部１１が、プリンタドライバの設定画面により印刷設定を受け付け、印刷設定の内容を表す印刷設定情報（１）を生成する。また、制御部１１は、設定された用紙タイプに応じた第２案内画面を表す案内画面情報（１）を記憶部１２から読み出す。
【００８４】
＜ステップＣ１２＞
クライアント装置１の制御部１１が、アプリケーションで作成されたデータと印刷設定情報（１）とに基づいてＰＤＬの印刷データ（１）を生成し、印刷データ（１）をスプールする。また、制御部１１は、識別情報を生成する。
【００８５】
＜ステップＣ１３＞
クライアント装置１の制御部１１が、印刷装置３に案内画面情報（１）と識別情報を送信する。
【００８６】
＜ステップＣ３１＞
印刷装置３の制御部３１が、案内画面情報（１）と識別情報を受信する。
【００８７】
＜ステップＣ１４＞
クライアント装置１の制御部１１が、印刷装置３での作業（用紙の配置）を促すメッセージを表示装置１４に表示させる。このメッセージを見たユーザは、印刷装置３の場所に移動する。
【００８８】
＜ステップＣ３２＞
印刷装置３の制御部３１が、第２案内画面を表示させる操作を受け付ける。例えば、制御部３１は、未処理の案内画面情報（１）に対応する識別情報のリストを表示部３４に表示させ、ユーザがいずれかの識別情報を選択すると、「用紙ナビを表示しますか？」というメッセージ、「はい」ボタン、「いいえ」ボタンを表示部に表示させ、「はい」ボタンが操作されたならば、制御部３１の処理はステップＣ３３に進む。
【００８９】
＜ステップＣ３３＞
印刷装置３の制御部３１が、案内画面情報（１）に基づく第２案内画面を表示部３４に表示させる。ユーザは、第２案内画面の内容に従って用紙を配置する。用紙を配置したならば、ユーザはクライアント装置１の場所へ移動する。
【００９０】
＜ステップＣ１５＞
クライアント装置１の制御部１１が、印刷実行の操作を受け付ける。
【００９１】
＜ステップＣ１６＞
クライアント装置１の制御部１１が、スプールしている印刷データ（１）を印刷装置３に送信する。
【００９２】
＜ステップＣ３４＞
印刷装置３の制御部３１が、印刷データ（１）を受信し、印刷を実行する。
以上が、ステップＣ０１の第１実施例である。
【００９３】
図１５は、ステップＣ０１の第２実施例のシーケンス図である。第１実施例ではクライアント装置１が印刷実行の操作を受け付けるのに対して、第２実施例では印刷装置３が印刷実行の操作を受け付ける。第１実施例と同じステップ番号のステップは、第１実施例と同じ内容であるから、そのステップの説明は省略する。
【００９４】
＜ステップＣ３４ａ＞
印刷装置３の制御部３１が、印刷実行の操作を受け付ける。
【００９５】
＜ステップＣ３４ｂ＞
印刷装置３の制御部３１が、印刷データ（１）をクライアント装置１に要求する。
以上が、ステップＣ０１の第２実施例である。
【００９６】
図１６は、ステップＣ０１の第３実施例のシーケンス図である。第１実施例と第２実施例では印刷データをクライアント装置１でスプールするのに対して、第３実施例では印刷データを印刷装置３でスプールする。第１実施例及び第２実施例と同じステップ番号のステップは、第１実施例及び第２実施例と同じ内容であるから、そのステップの説明は省略する。
【００９７】
＜ステップＣ１２ａ＞
クライアント装置１の制御部１１が、アプリケーションで作成されたデータと印刷設定情報（１）とに基づいてＰＤＬの印刷データ（１）を生成する。制御部１１は、この印刷データ（１）に特殊用紙フラグを付加する。また、制御部１１は、識別情報を生成する。
【００９８】
＜ステップＣ１３ａ＞
制御部１１は、印刷データ（１）と案内画面情報（１）と識別情報を印刷装置３に送信する。
【００９９】
＜ステップＣ３１ａ＞
印刷装置３の制御部３１が、印刷データ（１）と案内画面情報（１）と識別情報を受信する。
【０１００】
＜ステップＣ３１ｂ＞
印刷装置３の制御部３１が、特殊用紙フラグを認識し、印刷データ（１）をスプールする。制御部３１は、印刷実行の操作を受け付けるまで待機する。
【０１０１】
＜ステップＣ３４ｃ＞
印刷装置３の制御部３１が、スプールしている印刷データ（１）に基づく印刷を実行する。
以上が、ステップＣ０１の第３実施例である。
【０１０２】
図１７は、ステップＢ０１の実施例のシーケンス図である。
＜ステップＢ１１＞
クライアント装置１の制御部１１が、プリンタドライバの設定画面により印刷設定を受け付け、印刷設定の内容を表す印刷設定情報（１）を生成する。また、制御部１１は、設定された用紙タイプに応じた第２案内画面を表す案内画面情報（１）を記憶部１２から読み出す。
【０１０３】
＜ステップＢ１２＞
クライアント装置の制御部１１が、タブレットモードへの切り替えを促すメッセージを表示装置１４に表示させる。このメッセージを見たユーザは、クライアント装置１をタブレットモードに切り替える操作を行う。
【０１０４】
＜ステップＢ１３＞
クライアント装置１の制御部１１が、自装置をタブレットモードに遷移させる。
【０１０５】
＜ステップＢ１４＞
クライアント装置１の制御部１１が、案内画面情報（１）に基づく第２案内画面と、プリンタドライバの設定画面を表示させる。
【０１０６】
＜ステップＢ１５＞
クライアント装置１の制御部１１が、プリンタドライバの設定画面により印刷設定の変更を受け付ける。
【０１０７】
＜ステップＢ１６＞
クライアント装置１の制御部１１が、印刷設定の変更に応じて第２案内画面を更新する。制御部１１は、印刷設定情報（１）を印刷設定情報（２）に更新し、案内画面情報（１）を案内画面情報（２）に更新する。
【０１０８】
＜ステップＢ１７＞
クライアント装置１の制御部１１が、印刷実行の操作を受け付ける。
【０１０９】
＜ステップＢ１８＞
クライアント装置１の制御部１１が、アプリケーションで作成されたデータと印刷設定情報（２）とに基づいてＰＤＬの印刷データ（１）を生成し、印刷データ（１）を印刷装置３に送信する。
【０１１０】
＜ステップＢ３１＞
印刷装置３の制御部３１が、印刷データ（１）を受信し、印刷を実行する。
以上が、ステップＢ０１の実施例である。
【０１１１】
本実施形態によれば、印刷装置への用紙の補給に関する案内画面が、指定された装置に表示される。また、本実施形態によれば、案内画面を表示させる装置がユーザによって選択される。また、ステップＤ０１の第１乃至第３実施例及びステップＢ０１の実施例によれば、印刷の設定を変更した場合にその設定に応じた案内画面が表示される。また、本実施形態によれば、タッチパネルを備えた装置に案内画面が表示される。従って、タブレット型のＰＣ、スマートフォン、タッチパネルが備えられた印刷装置に案内画面が表示される。また、クライアント装置がデスクトップモードとタブレットモードを備える場合には、タブレットモードで案内画面が表示される。
【０１１２】
上記の実施形態を以下の変形例のように変形してもよい。また、複数の変形例を組み合せてもよい。
【０１１３】
＜変形例１＞
上記の実施形態では、クライアント装置１が装置選択画面を表示し、装置選択画面上でユーザが選択した装置に第２案内画面を表示させる例を示したが、クライアント装置１、印刷装置３、携帯端末２のいずれかが第２案内画面を表示させる装置として予め設定されるように案内画面表示処理のアプリケーションが構成されていてもよい。また、この設定がユーザの操作により変更されるように構成されていてもよい。
【０１１４】
＜変形例２＞
第２案内画面を表示させる装置として推奨される装置を装置選択画面で提示するように案内画面表示処理のアプリケーションが構成されていてもよい。例えば、クライアント装置１の制御部１１が、装置（クライアント装置１、印刷装置３、携帯端末２）毎に、表示面のサイズ、印刷設定用アプリケーションの有無（携帯端末２の場合）、第２案内画面を表示させる装置としての利用の履歴などの情報に基づいて、第２案内画面を表示させる装置としての評価を行い、評価の最も高い装置や、各装置の評価の順位などを装置選択画面で提示してもよい。
【０１１５】
＜変形例３＞
第２案内画面を表示させる装置（クライアント装置１、印刷装置３、携帯端末２）に応じた案内画面情報が用いられてもよい。例えば、表示面のサイズ毎に作成された複数の案内画面情報をクライアント装置１に記憶させておき、第２案内画面を表示させる装置の表示面のサイズに応じた案内画面情報を読み出して供給するようにしてもよい。あるいは、表示面のサイズに応じてクライアント装置１の制御部１１が案内画面情報の画素数を変換し、変換後の案内画面情報を供給するようにしてもよい。
【０１１６】
＜変形例４＞
上記の実施形態では、第２案内画面がタッチパネルを用いた操作が行われる装置に表示される案内画面である例を示したが、第２案内画面は、マウスとキーボードを用いた操作が行われる装置に表示される案内画面でもよい。この場合、クライアント装置１は、タブレットモードを備えなくてもよく、印刷装置３や携帯端末２は、タッチパネルを備えなくてもよい。
【０１１７】
＜変形例５＞
上記の実施形態では案内画面表示処理の機能をソフトウェアで実現する例を示したが、この機能の一部又は全部をハードウェア回路で実現してもよい。また、このソフトウェアを、磁気記録媒体、光記録媒体、半導体メモリなど、コンピュータで読み取り可能な記録媒体に記録して提供し、この記録媒体からソフトウェアを読み取ってインストールするようにしてもよい。また、このソフトウェアを電気通信回線で提供してもよい。
【符号の説明】
【０１１８】
１…クライアント装置、１１…制御部、１２…記憶部、１３…通信部、１４…表示装置、１４１…無線通信部、１５…受付装置、１６…外部Ｉ／Ｆ部、２…携帯端末、２１…制御部、２２…記憶部、２３…通信部、２４…表示部、２５…受付部、３…印刷装置、３１…制御部、３２…記憶部、３３…通信部、３４…表示部、３５…受付部、３６…画像形成部、３７…収容部、３８…手差し部、３９…搬送部、４０…排出部
【図１】
2018049331.tif 000003
【図２】
2018049331.tif 000004
【図３】
2018049331.tif 000005
【図４】
2018049331.tif 000006
【図５】
2018049331.tif 000007
【図６】
2018049331.tif 000008
【図７】
2018049331.tif 000009
【図８】
2018049331.tif 000010
【図９】
2018049331.tif 000011
【図１０】
2018049331.tif 000012
【図１１】
2018049331.tif 000013
【図１２】
2018049331.tif 000014
【図１３】
2018049331.tif 000015
【図１４】
2018049331.tif 000016
【図１５】
2018049331.tif 000017
【図１６】
2018049331.tif 000018
【図１７】
2018049331.tif 000019